(57)【特許請求の範囲】
【請求項１】
表示装置に適用するライトと表示画面を融合させる方法であり、前記表示装置が一体化したスクリーンであり、表示エリアとライトエリアを含み、前記ライトエリアは前記表示エリアの後ろに及び前記表示エリアの外縁を囲むＬＥＤアレイにより照明され、前記ＬＥＤアレイは複数のライトユニットを含み、前記表示エリアは前記ライトユニットの数によって、複数のビデオエリアに分けられ、各前記ビデオエリアは１つのライトユニットに対応し；
工程Ｓ１．表示信号及び／又はライト信号を含む入力信号を取得して、工程Ｓ２に進む；
工程Ｓ２．前記入力信号のタイプを解析する；
前記入力信号は前記表示信号と前記ライト信号を含む場合、工程Ｓ３に進む；
前記入力信号は前記表示信号である場合、工程Ｓ４に進む；
前記入力信号は前記ライト信号である場合、工程Ｓ５に進む；
工程Ｓ３．前記入力信号を融合信号として出力する；
工程Ｓ４．前記表示信号における各前記ビデオエリアのビデオフレームの色空間を抽出して、前記ビデオエリアのビデオフレームの色区間における色調値を計算し取得して、前記色調値により前記ビデオエリアに対応する前記ライトユニットのライト信号を生成して、工程Ｓ６に進む；
工程Ｓ５．前記ライト信号の前記色調値を取得して、前記色調値により、前記色調値の色と同じ表示信号を生成して、工程Ｓ６に進む；
工程Ｓ６．時間とライトユニットとビデオエリアとの対応関係により、前記ライト信号を前記表示信号に挿入して、前記表示信号に前記表示信号の特徴を記述するためにラベルを追加して、融合信号を形成し、前記融合信号を前記表示装置に送信する；
以上の工程を含むことを特徴とするライトと表示画面を融合させる方法。
【請求項２】
前記表示装置は前記表示エリアの外縁に位置し、且つ、前記ライトエリアと隣接する境界エリアをさらに含む、ことを特徴とする請求項１に記載のライトと表示画面を融合させる方法。
【請求項３】
前記工程Ｓ４において、前記表示信号はダイナミックビデオである場合、前記表示信号における各前記ビデオエリアの連続ビデオフレームの色空間を抽出して、毎回は第１の予約時間間隔で前記ビデオエリアの連続ビデオフレームの色空間における色調値の平均値を算出して、前記色調値により、前記ビデオエリアに対応する前記ライトユニットのライト信号を生成する、ことを特徴とする請求項１に記載のライトと表示画面を融合させる方法。
【請求項４】
前記工程Ｓ４において、前記表示信号は静止画像である場合、前記表示信号における前記色調値を抽出して、前記色調値により、対応する前記ライト信号を生成して、前記ライト信号は静止のライト信号である、ことを特徴とする請求項１記載のライトと表示画面を融合させる方法。
【請求項５】
前記工程Ｓ４において、前記表示信号は静止画像である場合、ＲＧＢ値をＸ個の区間に分けて、色空間がＸ3である区間を形成し、前記表示信号の色ヒストグラムを算出して、前記色ヒストグラム中における数値が最も高いＹ個の区間を抽出して、前記Ｙ個の区間におけるＲＧＢ値のそれぞれの中央値を取得して、Ｙ個のＲＧＢ値の中央値から１つの主色調の色空間を構成して、Ｙ個の中央値は色空間におけるアレンジによりＹ個の中央値を２つの連続なシーケンスにマッピングして、前記ライト信号を生成し、Ｙ個の中央値にある個々のＲＧＢ値の持続時間が第２の予約時間間隔であり、前記ライト信号はダイナミックライト信号であり；
ここで、Ｘ、Ｙは共に正整数で、２≦Ｘ≦５０、０≦Ｙ≦Ｘ3である、ことを特徴とする請求項１記載のライトと表示画面を融合させる方法。
【請求項６】
前記工程Ｓ５において、前記ライト信号はダイナミックライト信号である場合、前記ライト信号の変化のダイナミック情報を取得して、前記ダイナミック情報により、個々の前記ライトユニットのライトの変化頻度を取得して、且つ、前記変化頻度に対応する前記表示信号を生成して、前記変化頻度に対応するダイナミックウェーブチャートを表示する、ことを特徴とする請求項１記載のライトと表示画面を融合させる方法。
【請求項７】
前記工程Ｓ５において、前記ライト信号は静止のライト信号である場合、前記ライト信号の前記色調値を取得して、個々の前記ライトユニットは１つの色調値に対応し、前記色調値により、前記ライトユニットに対応する前記ビデオエリアのシングル信号を生成して、且つ、全ての前記シングル信号を表示信号に合成する、ことを特徴とする請求項１記載のライトと表示画面を融合させる方法。
【請求項８】
前記色調値はＲＧＢフォーマットで表れる、ことを特徴とする請求項１記載のライトと表示画面を融合させる方法。
【請求項９】
ガウスで前記境界エリアをぼかす処理をして、前記境界エリアのあいまいさを前記表示エリアの内部から外部まで増加する、ことを特徴とする請求項２記載のライトと表示画面を融合させる方法。
【発明の詳細な説明】
【技術分野】
【０００１】
本発明は、表示分野に関し、特にライトと表示画面を融合させる方法に関する。
【背景技術】
【０００２】
伝統上のライトとディスプレイを配合して表示する技術は、主に、ライトを表示画面の色調と明暗によって変化することにより実現され、伝統技術の制限があるため、ライトはただ弱い補助的な役割しか果たせず、表示画面とうまく融合することができない。なお、伝統上のライトは、予め設定された特定の表示モードにより表示画面と配合して表示することしかできないので、制限性があり実用性に乏しい。
【発明の概要】
【０００３】
上記の既存のライトと表示画面を融合させる方法にある問題に対して、本発明は、表示画面によりライト色調をインテリジェントに調整できることを目的としてライトと表示画面を融合させる方法を提供する。
【０００４】
具体的な技術案は、以下通りであり、すなわち：
表示装置に適用するライトと表示画面を融合させる方法であり、前記表示装置が一体化したスクリーンであり、表示エリアとライトエリアからなり、前記ライトエリアは表示エリアの後ろに及び前記表示エリアの外縁を囲むＬＥＤアレイにより照明され、前記ＬＥＤアレイは複数のライトユニットを含み、前記表示エリアは前記ライトユニットの数によって、複数のビデオエリアに分けられ、各ビデオエリアは１つのライトユニットに対応する；
工程Ｓ１．前記入力信号は表示信号及び／又はライト信号を含む入力信号を取得して、工程Ｓに進む；
工程Ｓ．前記入力信号のタイプを解析する；
前記入力信号は表示信号とライト信号を含む場合、工程Ｓ３に進む；
前記入力信号は前記表示信号である場合、工程Ｓ４に進む；
前記入力信号は前記ライト信号である場合、工程Ｓ５に進む；
工程Ｓ３．前記入力信号を融合信号として出力する；
工程Ｓ４．前記表示信号における各上記のビデオエリアのビデオフレームの色空間を抽出して、前記ビデオエリアのビデオフレームの色区間における色調値を計算し取得して、前記色調値により前記ビデオエリアに対応する前記ライトユニットのライト信号を生成して、工程Ｓ６に進む；
工程Ｓ５．前記ライト信号の前記色調値を取得して、前記色調値により、前記色調値の色と同じ表示信号を生成して、工程Ｓ６に進む；
工程Ｓ６．時間とライトユニットとビデオエリアとの対応関係により、前記ライト信号を前記表示信号に挿入して、なお、前記表示信号に前記表示信号の特徴を記述するためにラベルを追加して、よって、融合信号を形成することができ、また、その前記融合信号を表示装置に送信する；
以上の工程を含む。
【０００５】
好ましくは、前記表示装置は前記表示エリアの外縁に位置し、且つ、前記ライトエリアと隣接する境界エリアをさらに含む。
【０００６】
好ましくは、前記工程Ｓ４において、前記表示信号がダイナミックビデオである場合、前記表示信号における各上記のビデオエリアの連続ビデオフレームの色空間を抽出して、毎回は第１の予約時間間隔で前記ビデオエリアの連続ビデオフレームの色空間における色調値の平均値を算出して、前記色調値により、前記ビデオエリアに対応する前記ライトユニットのライト信号を生成する。
【０００７】
好ましくは、前記工程S4において、前記表示信号が静止画像である場合、前記表示信号における前記色調値を抽出して、前記色調値により、対応する前記ライト信号を生成して、前記ライト信号は静止のライト信号であることを特徴とする請求項１のライトと表示画面を融合させる方法。
【０００８】
好ましくは、前記工程Ｓ４において、前記表示信号が静止画像である場合、ＲＧＢ値をＸ個の区間に分けて、色空間がＸである区間を形成することができるようになり、表示信号の色ヒストグラムを算出して、前記色ヒストグラム中における数値が最も高いＹ個の区間を抽出して、前記Ｙ個の区間におけるＲＧＢ値のそれぞれの中央値を取得して、Ｙ個のＲＧＢ値の中央値から１つの主色調の色空間を構成して、Ｙ個の中央値を色空間におけるアレンジによりＹ個の中央値を１つの連続なシーケンスにマッピングして、前記ライト信号を生成することができるようになり、Ｙ個の中央値にある個々のＲＧＢ値の持続時間が第２の予約時間間隔であり、前記ライト信号はダイナミックライト信号である。
【０００９】
ここで、Ｘ、Ｙは共に正整数で、２≦Ｘ≦５０、０≦Ｙ≦Ｘ3である。
【００１０】
好ましくは、前記工程Ｓ５において、前記ライト信号はダイナミックライト信号である場合、前記ライト信号の変化のダイナミック情報を取得して、前記ダイナミック情報により、個々の前記ライトユニットのライトの変化頻度を取得して、且つ、前記変化頻度に対応する前記表示信号を生成して、前記変化頻度に対応するダイナミックウェーブチャートを表示することができるようになる。
【００１１】
好ましくは、前記工程Ｓ５において、前記ライト信号が静止のライト信号である場合、前記ライト信号の前記色調値を取得して、個々の前記ライトユニットは１つの色調値に対応し、前記色調値により、前記ライトユニットに対応する前記ビデオエリアのシングル信号を生成して、且つ、全ての前記シングル信号を表示信号に合成する。
【００１２】
好ましくは、前記色調値はＲＧＢフォーマットで表れる。
【００１３】
好ましくは、ガウスで上記の境界エリアをぼかす処理して、上記の境界エリアのあいまいさを上記の表示エリアの内部から外部まで増加する。
【００１４】
本技術案では、入力信号のタイプを解析することにより、入力信号のタイプに応じて、対応するライト信号と表示信号を制御し、出力し、よって、表示画面とライトの色調をインテリジェントに調整する効果に達することができ、ライト信号と表示信号とをよく融合させることもでき、実用範囲も拡大した。
【図面の簡単な説明】
【００１５】
【図１】図１は、本発明の一実施例のライトと表示画面を融合させる方法を示すフォローチャートである。
【図２】図２は、本発明の一実施例のビデオエリアとライトユニットとを均等に区画したアレンジを示す図である。
【図３】図３は、本発明の別の実施例のビデオエリアとライトユニットとを均等に区画したアレンジを示す図である。
【図４】図４は、本発明の一実施例のビデオエリアとライトユニットとを非均等に区画してアレンジを示す図である。
【図５】図５は、図４の区画を示す図である。
【発明を実施するための形態】
【００１６】
以下は、本発明の実施例の付図を参照しながら、本発明の実施例の技術案を明確に、完全に説明するが、明らかに、記述された実施例は単に本発明の一実施例であり、全ての実施例ではない。本発明の実施例に基づいて、当業者が創造的な仕事をすることなく取得した他の実施例は、全て本発明の保護範囲内に属する。
【００１７】
説明において、衝突しない状況で、本発明の実施例及び実施例の特徴を互いに組み合わせることができる。
【００１８】
以下は、付図と具体的な実施例により、本発明をより詳しく説明するが、本発明を制限する意図はない。
【００１９】
図１に示したように、表示装置に適用するライトと表示画面を融合させる方法であり、前記表示装置が一体化したスクリーンであり、表示エリアとライトエリアを含み、前記ライトエリアは表示エリアの後ろに及び上記の表示エリアの外縁を囲むＬＥＤアレイにより照明され、前記ＬＥＤアレイは複数のライトユニットを含み、前記表示エリアは前記ライトユニットの数によって、複数のビデオエリアに分けられ、各ビデオエリアは１つのライトユニットに対応する；
工程Ｓ１．前記入力信号は表示信号及び／又はライト信号を含む入力信号を取得して、工程Ｓに進む；
工程Ｓ．前記入力信号のタイプを解析する；
前記入力信号は表示信号とライト信号を含む場合、工程Ｓ３に進む；
前記入力信号は前記表示信号である場合、工程Ｓ４に進む；
前記入力信号は前記ライト信号である場合、工程Ｓ５に進む；
工程Ｓ３．前記入力信号を融合信号として出力する；
工程Ｓ４．前記表示信号における各前記ビデオエリアのビデオフレームの色空間を抽出して、前記ビデオエリアのビデオフレームの色区間における色調値を計算し取得して、前記色調値により前記ビデオエリアに対応する前記ライトユニットのライト信号を生成して、工程Ｓ６に進む；
工程Ｓ５．前記ライト信号の前記色調値を取得して、前記色調値により、前記色調値の色と同じ表示信号を生成して、工程Ｓ６に進む；
工程Ｓ６．時間とライトユニットとビデオエリアとの対応関係により、前記ライト信号を前記表示信号に挿入して、なお、前記表示信号に前記表示信号の特徴を記述するためにラベルを追加して、よって、融合信号を形成することができ、また、その前記融合信号を表示装置に送信する；
以上の工程を含む。
【００２０】
本実施例では、表示エリアはスクリーンの内部に位置し、ライトエリアは表示エリアが除去された残ったスクリーンの部分であり、ライトエリアは表示エリアの後ろに及び前記表示エリアの外縁を囲むＬＥＤアレイにより照明され、ＬＥＤアレイは複数のライトユニットを含み、表示エリアは前記ライトユニットの数により、バーチャル的に複数のビデオエリアを分けて、それぞれのビデオエリアは１つのライトユニットに対応する。入力信号は表示信号とライト信号を含む場合、入力された表示信号及びライト信号とを既にＬＥＤアレイと表示エリアに融合させられた適用する入力信号とすることができる。
【００２１】
入力信号のタイプを解析することにより、入力信号のタイプにより、対応するライト信号と表示信号を制御し、出力して、よって、表示画面とライトの色調をインテリジェントに調整する効果に達することができ、ライト信号と表示信号をよく融合させることもでき、実用範囲も拡大した。
【００２２】
具体的に、本発明では、表示エリアの解像度とシャープネスとは全部ＬＥＤアレイによって照明されているライトエリアより高い表示信号によりＬＥＤアレイを駆動することにより、ＬＥＤアレイのライト効果を表示エリアにおける表示画面と一致させて、よって広い視野効果を創出することができ、且つ、表示画面をもっとリアルにした。
【００２３】
好ましくは、前記表示装置は前記表示エリアの外縁に位置し、前記ライトエリアと隣接する境界エリアをさらに含む。
【００２４】
本実施例では、表示画面はダイナミックビデオと静止画像に分けられ、ライト信号は静止ライト信号とダイナミックライト信号に分けられる。表示画面はダイナミックビデオあるいは静止画像である場合、表示エリアの外縁に位置する境界エリアは表示画面とＬＥＤアレイより発射されたライト効果とを融合させることに用いられ、よって、表示画面の外縁はＬＥＤアレイにより発射された光線に干渉されなくなり、視角効果のぼやかしを避けることができる。
【００２５】
好ましくは、前記工程Ｓ４において、前記表示信号はダイナミックビデオである場合、前記表示信号における各前記ビデオエリアの連続ビデオフレームの色空間を抽出して、毎回第１の予約時間間隔でビデオエリアの連続ビデオフレームの色空間における色調値の平均値を算出して、前記色調値により、前記ビデオエリアに対応する前記ライトユニットのライト信号を生成する。
【００２６】
具体的に、ダイナミックビデオのフレームレートは一般的に高いため、ビデオエリアの主色調を算出する際に、連続する複数のビデオフレームの対応するエリアの主色調の平均値を用いることができ、よって、ライトの視角効果を向上させることができ、第１の予約時間間隔を０．５秒から２秒までの範囲で設定してもよい。
【００２７】
本実施例では、表示信号はダイナミックビデオである場合、ライトユニットとビデオエリアと対応する方式を採用して、まず、ビデオエリアの主色調を算出し、ライトユニットに対応するライト情報を生成して、全てのライト情報をライト信号に組み合わせ、それからダイナミックビデオのビデオフレーム（表示信号）を表示エリアに送信し、表示して、また、ライト信号をＬＥＤアレイに送信し表示する。本実施例では、ビデオエリアの個数はライトユニットの数と同じ、また最も素晴らしい一体化した表示効果を達するために、図２と図３に示したように、ビデオエリアをライトユニットのアレンジメントにより均等に区画することができ、図４では、ビデオエリアはライトユニットのアレンジメントにより非均等に区画されており、ライトユニットのライト信号は距離上に一番近いビデオエリアのビデオフレームの主色調値と対応されている。
【００２８】
好ましくは、前記工程Ｓ４において、前記表示信号は静止画像である場合、前記表示信号における前記色調値を抽出して、前記色調値により、対応する前記ライト信号を生成して、前記ライト信号は静止のライト信号である。
【００２９】
本実施例では、表示信号は静止画像である場合、静止画像の全図を算出して、シングルな主色調値を取得することができ、よって、全てのライトユニットは全部主色調値と対応するライト信号により作動することができるようになる。
【００３０】
好ましくは、前記工程Ｓ４において、前記表示信号は静止画像である場合、ＲＧＢ値をＸ個の区間に分けて、色空間がＸ3である区間を形成することができるようになり、表示信号の色ヒストグラムを算出して、前記色ヒストグラム中における数値が最も高いＹ個の区間を抽出して、上記のＹ個の区間におけるＲＧＢ値のそれぞれの中央値を取得して、Ｙ個のＲＧＢ値の中央値を１つの主色調の色空間を構成して、Ｙ個の中央値は色空間におけるアレンジにより、Ｙ個の中央値を１つの連続なシーケンスにマッピングして、前記ライト信号を生成することができるようになり、Ｙ個の中央値にある個々のＲＧＢ値の持続時間が第２の予約時間間隔であり、前記ライト信号はダイナミックライト信号である。
【００３１】
ここで、Ｘ、Ｙは共に正整数で、２≦Ｘ≦５０、０≦Ｙ≦Ｘ3である。
【００３２】
さらに、第２の予約時間間隔は０．５秒から２秒までの範囲内でもよい。
【００３３】
本実施例では、表示信号は静止画像である場合、ダイナミックライト信号を用いて、ライトユニットを作動させることができる。具体的に、ＲＧＢ（ｒｅｄ、ｇｒｅｅｎ、ｂｌｕｅの略語であり、すなわち、赤色、緑色、青色）値を１０個の区間に分けて、全部の色区間が１０×１０×１０の１０００個の区間となり、次に、全図の色のヒストグラムを算出し、数値が一番高い１００個の区間を取出して、１００個の区間のＲＧＢ値の中央値で１つの主色調の色区間を構成する。１００個のＲＧＢ中央値が色区間におけるアレンジにより１つの方向から配列し、連続的な序列を形成し、そして、配列された序列に対応するライト信号を生成して、表示エリアの実施効果に従って、個々のライトユニットの持続時間の長さを調整することができ、当該時間長さは表示エリアの外縁のライトユニットの密度とビデオエリアにの相対のアレンジに関係がある。
【００３４】
好ましくは、前記工程Ｓ５において、前記ライト信号はダイナミックライト信号である場合、前記ライト信号が変化したダイナミック情報を取得して、前記ダイナミック情報により、個々の前記ライトユニットのライトの変化頻度を取得して、前記変化頻度に対応する前記表示信号を生成して、これにより、前記変化頻度に対応するダイナミックウェーブチャートを表示することができる。
【００３５】
本実施例では、輸入されたライト信号はダイナミックライト信号である場合、ビデオエイラは当該ダイナミックライト信号の動的な変化に関係する情報の画像を表示することができる。例えば、それぞれのライトユニットに対して、ライト変化の頻度を算出して、各ライトユニットの頻度の変化特徴を立体的な視点で表示することができ、各ライトユニットの頻度は同じまたは近く、頻度変化の速度率も遅く、あるいは安定的な頻度値であるので、逆サインウェーブを用いて頻度特徴を表すことができ、ウェーブ自身の色はライトユニットの色と同じように保持することができる。
【００３６】
好ましい実施例では、工程Ｓ５において、前記ライト信号は静止のライト信号である場合、前記ライト信号の前記色調値を取得して、個々の前記ライトユニットは１つの色調値に対応し、前記色調値により、前記ライトユニットに対応する前記ビデオエリアのシングル信号を生成して、それに、全ての前記シングル信号を表示信号に合成する。
【００３７】
本実施例では、輸入されたライト信号は静止ライト信号である場合、ビデオエリアは同じ色と明るさでシングル信号を表示することができる。
【００３８】
好ましい実施例では、色調値はＲＧＢフォーマットで表れる。
【００３９】
本実施例では、ＲＧＢフォーマットを用いる色調値はライト輝度情報を含むことができ、別途に指定することはない。
【００４０】
好ましい実施例では、ガウスで境界エリアをぼかす処理して、境界エリアのあいまいさを表示エリアの内部から外部まで増加するようにする。
【００４１】
本実施例では、ビデオエリアと対応するライトユニットのライト効果とを融合させる効果により良いため、境界エリアをガウスでぼかす処理をし、境界エリアのあいまいさを内部から外部まで増加させ、よって、全体のビデオエリアとＬＥＤアレイとの間の明らかな境界を除去することができる。
【００４２】
上述した技術案に基づいて、さらに、輸入信号はダイナミックビデオで、目標の表示装置は表示エリアとＬＥＤアレイにより照明されるライトエリア（図４と図５に示したように）とを含むことを例として、表示装置は図５のように示した区画方式と対応方式を用いて、すなわち、ライトユニット（１ｂ−８ｂ）は同じマークされたビデオエリア（１ａ−８ａ）に対応する。ライト信号を取得する具体的な工程は：１秒の長さを時間長さとして、区画された各ビデオエリアに主色調を算出して、計算する時に、ＲＧＢ値を１０段階に分けることができるため、全体の色区間は１０×１０×１０の１０００個の区間となり；１秒以内で全ての画像フレームに対応するエリアの色のヒストグラムを算出し、数値の一番高い区間を取出して、当該区間のＲＧＢ値の中央値を結果とする主色調は、ＲＧＢ３つの値を含み；それからライトユニットのマークによって、同じ１秒の主色調値をランキングし、相応のライト信号を構成し、よって、ライトユニットの相応の内容を表示することができるようになる。
【００４３】
同時に、表示する時、表示エリアの外縁がＬＥＤアレイの干渉により、ぼかす効果を呈出しないため、表示画面の外縁に１つの表示画面のサイズの５％に相当する境界エリアを添加し、ティファニーブルーを使って塗り潰すことができる。境界エリアを添加した後に、ビデオフレームサイズを調整して、目標の表示サイズを達成するようにして、そして当該境界エリアの幅を均等な５分に分割し、パラメータが１から２までのグラデーションのガウシアンブラーを用いて処理して、あいまいさの度合いは外側に向かって増加し、最外部はライトエリアと良く融合するので、境界のところを自然に渡ることができるようになった。
【００４４】
融合方法により処理されたライト信号と表示信号はデータ上で最終に全体の表示信号を組み合わせる。ライト信号は１秒に１回変化し、その代わりに、ビデオのフレームレートは１よりはるかに大きいので、時間に対応することにより融合させ、ライト信号を表示信号に挿入し、そして、特定のマークを付加し、信号特徴を記述して、よって、融合信号が形成され、その融合信号を表示装置に送信して表示する。
【００４５】
上述した技術方案に基づいて、さらに、入力信号は静止のシングルライト信号であり、目標デバイスは表示エリアとＬＥＤアレイにより照明されるライトエリア（図３に示したように）とを含むことを例とする。ライトは簡単なシングル静止信号のため、表示エリアはライト効果を増加することができる同じ色調を用いることができる。表示信号を取得する具体的な工程は、まずライト信号のＲＧＢ値を取得して、次に全体の表示エリアの画素値を当該値に設定する。なお、それぞれのＲＧＢ値に合計振幅区間が１／５０であるランダムバイアスを追加することもでき、そしてビデオフレームフォーマットの表示信号を生成して、フレームレートは３０であり、よって、自然状態の様々な要因で表示装置に与える影響を模倣することができる。
【００４６】
表示エリアの解像度が高いため、ＬＥＤアレイの純粋なライトエリアとの間に比較的に鋭い境界を生じる可能性がある。それで、表示エリアの外縁の５％のエリアサイズから最外部の外縁まで、１％をステップとして、パラメータが１から２までのグラデーションのガウシアンブラーで処理することができ、あいまいさの度合いは外側に向かって増加し、最外部はライトエリアとより良く融合し、よって、当該の明らかな限界を除去することができる。
【００４７】
融合方法により処理されたライト信号と表示信号とはデータ上で最終的な全体表示信号を組み合わせる。ライト信号は１秒に１回更新して、ビデオのフレームレートは３０であり、融合させるときに時間により、ライト信号を表示信号に挿入し、信号特徴を記述するために特定のマークを付加して、融合信号が形成され、そして、融合信号を表示装置に送信して表示する。
【００４８】
以上述べたのは単に本発明の好ましい実施例のみであり、本発明の実施例や保護範囲を制限するものではない。当業者によって、本発明の明細書及び付図した内容を使って、均等の置換や変更によって作り出された方案は、全て本発明の保護範囲内に属することを意識すべきである
【図１】
0006582118.tif 000002
【図２】
0006582118.tif 000003
【図３】
0006582118.tif 000004
【図４】
0006582118.tif 000005
【図５】
0006582118.tif 000006